(57)【要約】【課題】スレッドの切断時に、スレッドの供給を迅速に行い、長網抄紙機の損品発生時間を短縮し、良品の抄紙効率を向上させる。【解決手段】紙料縣濁液中にスレッド２を供給してスレッド挿入用紙を製造する長網抄紙機のスレッド挿入装置であって、ボビン（図示省略）及びスレッド挿入管３からなるスレッド挿入装置を各スレッド２に対して複数個設け、スレッドの切断時に、切断したスレッド２が挿入されているスレッド挿入管３から、予備（待機中）のスレッド２が挿入されているスレッド挿入管３に切り替えてスレッド２を供給する。【選択図】        図１
2004204359.tif 000002
【特許請求の範囲】
【請求項１】
スレッド挿入用紙を製造する長網抄紙機のスレッド挿入装置であって、紙料懸濁液中にスレッドを供給するボビン及びスレッド挿入管からなるスレッド挿入手段を各系列に複数設けることを特徴とする長網抄紙機のスレッド挿入装置。
【請求項２】
各系列に複数設ける前記スレッド挿入手段におけるスレッド挿入管をスレッドの進行方向と垂直な方向から一定角度傾斜させて対向させて「Ｖ」字状に配置することを特徴とする請求項１に記載の長網抄紙機のスレッド挿入装置。
【請求項３】
各系列に複数設ける前記スレッド挿入手段における挿入管をスレッドの進行方向と垂直で一定間隔に複数設けることを特徴とする請求項１に記載の長網抄紙機のスレッド挿入装置。
【請求項４】
前記各系列に複数設けるスレッド挿入手段は、使用中のスレッド挿入手段により挿入中のスレッドが切断した時に、少なくとも一つの予備用のスレッド挿入手段に切り替えてスレッド供給動作を行うことを特徴とする請求項１乃至３の何れか１つに記載の長網抄紙機のスレッド挿入装置。
【発明の詳細な説明】
【０００１】
【発明の属する技術分野】
本発明は、スレッド挿入用紙を製造する長網抄紙機のスレッド挿入装置に関する。
【０００２】
【従来の技術】
従来、銀行券等の諸証券類用紙に偽造防止のためにセキュリティースレッド（以下、スレッドという。）が用紙中に挿入されており、その挿入方法として、円網抄紙機を用いた多槽式による挿入方法又は長網抄紙機と円網抄紙機とを組み合わせた挿入方法等があったが、これらのスレッド挿入方法は、多槽の紙層間にスレッドが挿入されているため、紙層を剥離してスレッドに記入された情報を解読したり、スレッド取り出し、偽造する恐れがある。そこで、偽造防止効果を向上させるために、長網抄紙機により単一の紙層中にセキュリティースレッドを挿入するスレッド挿入方法又はスレッド挿入装置（例えば、公知文献１参照。）が開発されたが、この長網抄紙機により単一の紙層中にスレッドを挿入する方法又は装置は、紙料懸濁液４中の紙質を均等にして抄紙するため、図３（ａ）に示すように、長網５を左右にシェーキングする必要があり、この長網５のシェーキングにより長網５を通過するスレッド２が、図３（ｂ）及び（ｃ）に示すように、蛇行又は反転して、スレッド２が切断する場合がある。この場合、挿入管３にスレッド２を再度挿入して長網抄紙機の紙料懸濁液４まで到達するように設定するまで良品とはならず、損品が発生するため、抄紙効率が低下するという問題があった。
【０００３】
【特許文献１】
特公平４−７８７６０号公報
【発明が解決しようとする課題】
本発明は前記問題点を解決するもので、本発明の目的は、長網抄紙機により単一の紙層中にセキュリティースレッドを挿入する長網抄紙機のスレッド挿入装置において、スレッドの切断時に、スレッドの挿入、供給を迅速に行い、長網抄紙機の損品発生時間を短縮し、良品の抄紙効率を向上させることである。
【０００４】
【課題を解決するための手段】
本発明は、スレッド挿入用紙を製造する長網抄紙機のスレッド挿入装置であって、紙料懸濁液中にスレッドを供給するボビン及びスレッド挿入管からなるスレッド挿入手段を各系列に対して複数設けることを特徴とする長網抄紙機のスレッド挿入装置である。
【０００５】
本発明は、各系列に複数設けるスレッド挿入手段における挿入管をスレッドの進行方向と垂直な方向から一定角度傾斜させて対向させて「Ｖ」字状に配置した長網抄紙機のスレッド挿入装置である。
【０００６】
本発明は、各系列に複数設ける前記スレッド挿入手段における挿入管をスレッドの進行方向と垂直に一定間隔隔てて複数設けた長網抄紙機のスレッド挿入装置である。
【０００７】
本発明は、各系列に複数設けるスレッド挿入手段は、使用中のスレッド挿入手段により挿入中のスレッドが切断した時に、少なくとも一つの予備用のスレッド挿入手段に切り替えてスレッド供給動作を行うことを特徴とする請求項１乃至３の何れか１つに記載の長網抄紙機のスレッド挿入装置である。
【０００８】
【発明の実施の形態】
以下、本発明の実施の形態について説明する。
本発明は、図１に示すように、紙料懸濁液４中にスレッド２を供給して長網５によりスレッド挿入用紙を製造する長網抄紙機のスレッド挿入装置に関する。図１又は図２に示すように、紙料懸濁液４中にスレッド２を供給するボビン（図示省略。）及びスレッド挿入管３からなるスレッド挿入手段を複数設け、スレッドの切断時に使用中のスレッド挿入手段から予備用のスレッド挿入手段に切り替えてスレッド挿入動作を行うことにより、スレッドの挿入及び供給を迅速に行い、長網抄紙機の損品発生時間を短縮し、良品の抄紙効率を向上させることである。
【０００９】
複数のスレッド挿入手段の配置状態を以下に説明する。
図１に示すように、前記スレッド挿入装置における複数のスレッド挿入管３をスレッド２の進行方向と垂直な方向から一定角度傾斜させて対向させて「Ｖ」字状に配置する。
【００１０】
複数のスレッド挿入手段の他の配置状態を以下に説明する。
図２に示すように、前記スレッド挿入装置におけるスレッド挿入管３をスレッド２の走行方向と垂直で一定間隔に複数個設ける。
【００１１】
図１及び図２に示すように、スレッド挿入装置には、スレッドの切断を検出するスレッド切れセンサ２Ａが設けられており、このスレッド切れセンサ２Ａからのスレッド切れ検出信号（図示省略。）によりスレッド切断の警報を発する。長網抄紙機の操作者はこの警報により、スレッド２が切断した現在使用中のスレッド挿入管３からなる挿入手段から予備のスレッド２が挿入されているスレッド挿入管３からなる挿入手段に切り替えて使用する。予備の手段を使用中に切断した挿入管にスレッド２を再度挿入しておき、予備の手段のスレッド切断事故に備える。
【００１２】
なお、前記スレッド切れセンサ２Ａからのスレッド切れ検出信号により、スレッドが切断したスレッド挿入手段から予備用のスレッド挿入手段に人手を介さずに自動的に切り替えて長網抄紙機にスレッドを供給する方式にしてもよい。
本発明により、スレッドの切断時に、スレッドの挿入及び供給を迅速に行い、長網抄紙機の損品発生時間を短縮し、良品の抄紙効率を向上することができる。
【００１３】
【発明の効果】
本発明は紙質懸濁液中にスレッドを供給するボビン及びスレッド挿入管からなるスレッド挿入手段を各系列に複数設け、スレッドの切断時に使用中のスレッド挿入手段から予備用のスレッド挿入手段に切り替えてスレッド供給動作を行うことにより、スレッドの供給を迅速に行い、長網抄紙機の損品発生時間を短縮し、良品の抄紙効率を向上することができる。
【図面の簡単な説明】
【図１】本発明の長網抄紙機のスレッド挿入装置において、各系列に複数のスレッド挿入管を「Ｖ」字状に配置した場合の配置図である。
【図２】本発明の長網抄紙機のスレッド挿入装置において、複数のスレッド挿入管をスレッドの進行方向と垂直に一定間隔隔てて配置した場合の配置図である。
【図３】本発明の長網抄紙機の概略構成図である。
【符号の説明】
１    スレッド挿入装置
２    スレッド
２Ａ  スレッド切れセンサ
３    挿入管
４    紙料縣濁液
５    長網
６    スライス板
７    用紙巻き取りロール
【図１】
2004204359.tif 000003
【図２】
2004204359.tif 000004
【図３】
2004204359.tif 000005